Podtech/llm-jp-corpus-v4-ja_patent huggingface dataset:
(57)【要約】【課題】気密性を高め、振動による緩みを抑えて信頼性を向上させた細管接続具を提供する。【解決手段】端部から奥に向かって内径が減少する内面テーパ管１に挿入された細管３、３’の先端部をテーパ面４に押し付けて接続するように構成された細管接続具において、接続すべき細管３、３’が穿通する軟質弾性材から成るキャップ２を内面テーパ管１の端部にかぶせる。このキャップ２により、内面テーパ管１の端部から外へガスが漏出することが防止されると共に、軟質弾性材の防振作用により接続部の緩みが抑えられる。【選択図】          図１
0003107352.tif 000002
【実用新案登録請求の範囲】
【請求項１】
端部から内方に向かって内径が減少する内面テーパ管に挿入された細管の先端部をテーパ面に押し付けて接続するように構成された細管接続具において、接続される細管が気密に穿通された軟質弾性材から成るキャップを備え、このキャップを前記内面テーパ管の端部に密嵌させることを特徴とする細管接続具。
【考案の詳細な説明】
【技術分野】
【０００１】
本考案は、ガスクロマトグラフィにおけるキャピラリカラム等の細管を接続するための細管接続具に関する。
【背景技術】
【０００２】
ガスクロマトグラフィにおいては、外径０．５〜１ｍｍ程度の溶融石英管の外面をポリイミド樹脂で被覆し、内面に固定相膜を形成した細管がキャピラリカラムとして用いられ、また、同様の構造で内面に固定相膜を持たない細管が抵抗管等として使用される（以下、これらの細管を総称して単に細管と記す）。このような細管を接続する接続具（コネクタ、フィッティング等とも呼ばれる）には種々のタイプがあるが、図３にその一例を示す。これは簡便に使用できる小形軽量低価格の細管接続具であって、両端から中央部に向けて内径が次第に小さくなるガラス管（内面テーパ管１）で構成されるもので、同図は細管３、３’が接続された状態を示している。なお、特許文献１の図５に従来例として同様のものが紹介されている。
【０００３】
図３に示す従来の細管接続具を用いてキャピラリカラム等の細管を接続するには、内面テーパ管１の一端から細管３を挿入し、その先端部をテーパ面４に当てて押圧する。これだけで、先端部の樹脂被覆が圧縮されることによりテーパ面４に密接し、気密を保って接続できる。内面テーパ管１の他端からも別の細管３’を挿入し、同様に接続すれば、２本の細管３、３’を連結することができる。
【０００４】
【特許文献１】特開平８−９４６０５号公報
【考案の開示】
【考案が解決しようとする課題】
【０００５】
上記のように、内面テーパ管を用いる従来の細管接続具は、極めて簡単な操作で接続できる利点があるが、気密性を保って接続するためには、接続すべき細管の先端が管の長手方向に対して直角に切断されていること、及びその切断面が平滑であることが必要である。斜めに切断されたり、切断面が粗い破断面になっている場合は、テーパ面に密接できないので、気密が保てない。その他、細管を押し込む際の押圧力不足、振動による緩み、樹脂被覆の不均一またはキズ、等々の原因でガス漏れが生じることがある。ガスクロマトグラフィにおいてガス漏れが生じると、分析の再現性、定量性が低下し、また、カラム中に混入する空気によりカラムが劣化することもある。
【０００６】
従来から、このタイプの細管接続具における接続不良によるガス漏れを防ぐために、内面テーパ管の両端の開口部とこれに挿入された細管との隙間に、ポリイミド樹脂性の接着剤を塗布した後、加熱硬化させる方法がとられた。しかし、この方法は硬化に数時間を要し、また、硬化後は半永久的に接続されて取り外すことができないという欠点があった。
本考案はこのような事情に鑑みてなされたものであり、簡便且つ小形軽量低価格という従来からの長所はそのまま維持しながら、さらに気密性を高め、振動による緩みを抑えて信頼性を向上させた細管接続具を提供することを目的とする。
【課題を解決するための手段】
【０００７】
本考案は、上記課題を解決するために、接続される細管が気密に穿通する軟質弾性材から成るキャップを内面テーパ管の端部にかぶせて細管接続具を構成する。このキャップにより、内面テーパ管の端部から外へガスが漏れ出すことが防止されると共に、軟質弾性材の防振作用により接続部の緩みが抑えられる。
【考案の効果】
【０００８】
本考案は上記のように構成されているので、使用簡便、小形軽量、低価格という従来からの長所はそのまま維持しながら、気密性が高く、振動による緩みが少なく信頼性の高い細管接続具を提供することができる。また、ガラス製の内面テーパ管の端部がキャップで保護されることになるので、割れ、欠け等の損傷が防止できるという副次的効果も得られる。
【考案を実施するための最良の形態】
【０００９】
図１に本考案の一実施形態を示す。同図において、図３と同一の要素には同一符号を付すことで再度の説明を省く。
本実施形態が図３に示す従来例と異なる点は、内面テーパ管１の両端部に軟質弾性材（例えば、シリコンゴム）から成るキャップ２をかぶせたことである。接続すべき細管３、３’はこのキャップ２を穿通して内面テーパ管１に挿入され、その先端部がテーパ面４に押し付けられることで気密接続が行われる。キャップ２は、自身の弾性により内面テーパ管１に密嵌しているので、たとえ細管先端部とテーパ面４との密着不良によるガス漏れがあってもガスが外部に漏出することはなく、気密性が確保される。また、軟質弾性材の防振作用により接続部の緩みも防止できる。
【実施例１】
【００１０】
図２は、本考案になる細管接続具を用いて細管を接続する作業行程の一例を示したものである。この例は、接続すべき細管３をキャップ２に通す際に、注射針５を巧みに利用することで、細管３の折損や細管３内部にゴム屑が入り込むことが防止できる方法である。
以下、同図に従い（Ａ）〜（Ｅ）の手順を追って説明する。
（Ａ）接続すべき細管３の外径よりも大きい内径を持つ注射針５を、キャップ２のほぼ中心に刺通する。
（Ｂ）接続すべき細管３を注射針５の針先から挿入する。
（Ｃ）キャップ２をずらせて、注射針５上から細管３上に移動させ、その後、注射針５を抜き取る。
（Ｄ）細管３の先端を内面テーパ管１に挿入し、テーパ面４に押し付ける。
（Ｅ）細管３に沿ってキャップ２をずらせて、内面テーパ管１の端部に被せる。その後、他端についても以上の操作を繰り返して、図１に示すような接続状態を完成させる。
【産業上の利用可能性】
【００１１】
本考案は、ガスクロマトグラフィにおけるキャピラリカラム等の細管を接続するための細管接続具に利用できるものであり、上記例示の２本の細管同士を連結する左右対称形の細管接続具の他にも、３本の細管を連結するＹ字形の細管接続具や、一端が器具に固定され、器具と細管とを接続するタイプの細管接続具に対しても利用可能である。
【図面の簡単な説明】
【００１２】
【図１】本考案の一実施形態を示す図である。
【図２】本考案を用いて細管を接続する作業行程を示す図である。
【図３】従来の細管接続具の一例を示す図である。
【符号の説明】
【００１３】
１  内面テーパ管
２  キャップ
３  細管
３’細管
４  テーパ面
５  注射針
【図１】
0003107352.tif 000003
【図２】
0003107352.tif 000004
【図３】
0003107352.tif 000005
(57)【要約】【課題】手荷物等の収納物を背もたれ部に形成した収納部に容易に出し入れでき、大きな収納物も収納可能で、座り心地を損ねることがない椅子を提供すること。【解決手段】座部１１と背もたれ部１２とを有する椅子において、背もたれ部１２の座部１１近傍に、正面側が開口する収納部１４を形成した。また、収納部１４の背面部及び底面部には、収納物１５を支持する支持部１４ａ，１４ｂを形成した。【選択図】図２
0003107346.tif 000002
【実用新案登録請求の範囲】
【請求項１】
座部と背もたれ部とを有する椅子において、前記背もたれ部に、正面側が開口する収納部を形成した椅子。
【請求項２】
前記収納部の背面部及び底面部に、収納物を支持する支持部を形成した請求項１に記載の椅子。
【請求項３】
前記収納部が、背もたれ部の座部近傍に形成された請求項１又は２に記載の椅子。
【考案の詳細な説明】
【技術分野】
【０００１】
本考案は、背もたれ部に手荷物等を収納可能とした椅子に関する。
【背景技術】
【０００２】
飲食店、結婚式場、講演会場等において、手荷物の置き場所がサービス上の問題点の一つとして挙げられている。そこで、特許文献１には、背もたれ部に手荷物等を収納可能とした椅子が提案されている。
【０００３】
しかし、特許文献１の椅子では、その背もたれ部の内部に手荷物の収納部を形成し、両側面に形成した開口部より手荷物を出し入れするようにしているため、手荷物の出し入れが行いにくく、収納できる手荷物のサイズにも制約があった。また、収納部あるいは開口部を大きくしようとすると、背もたれ部が正面側に大きく張り出すようになり、その張り出し部によって座り心地が悪くなるという問題もあった。
【特許文献１】特開２０００−１５７３６８号公報
【考案の開示】
【考案が解決しようとする課題】
【０００４】
本考案が解決しようとする課題は、手荷物等の収納物を背もたれ部に形成した収納部に容易に出し入れでき、大きな収納物も収納可能で、座り心地を損ねることがない椅子を提供することにある。
【課題を解決するための手段】
【０００５】
本考案の椅子は、座部と背もたれ部とを有する椅子において、前記背もたれ部に、正面側が開口する収納部を形成したものである。
【０００６】
収納部の背面部及び底面部には、収納物を支持する支持部を形成することができる。
【０００７】
また、収納部は、背もたれ部の座部近傍に形成することができる。
【考案の効果】
【０００８】
本考案は、以下の効果を奏する。
【０００９】
（１）収納部の正面側が開口しているので、収納物の出し入れが行いやすい。
【００１０】
（２）背もたれ部の正面側を利用して収納部を形成しているので、収納部を大きくすることが容易で、大きな収納物も収納可能となる。
【００１１】
（３）背もたれ部の正面側に張り出し部が生じないので、座り心地が損なわれることがない。
【００１２】
（４）収納部の背面部及び底面部に収納物を支持する支持部を形成したものでは、収納物をより安定的に収納することができる。
【００１３】
（５）収納部を背もたれ部の座部近傍に形成したものでは、収納部が人の腰部近傍に位置し、背中近傍には位置しないので、座り心地がより良好となる。
【考案を実施するための最良の形態】
【００１４】
以下、本考案の実施の形態を図面に示す実施例に基づき説明する。
【実施例１】
【００１５】
図１は、本考案の一実施例を示す斜視図、図２は手荷物を収納した状態を示す縦断面図である。
【００１６】
図１，２に示すソファータイプの椅子１０は、座部１１と背もたれ部１２と脚部１３とを有し、背もたれ部１２に、手荷物等の収納物１５を収納するための収納部１４が形成されている。
【００１７】
収納部１４は、正面側が開口する凹状に形成されており、その底面部及び背面部には、収納物５を支持する支持部１４ａ，１４ｂが形成されている。
【００１８】
収納物１５は、収納部１４の底面部の支持部１４ａに載置支持され、必要に応じて背面部の支持部１４ｂに支持されて、収納部１４内に安定的に収納される。また、収納物１５の収納部１４への出し入れは、正面側の開口から行うことができるので容易である。
【実施例２】
【００１９】
図３は、本考案の別実施例を示す斜視図、図４は手荷物を収納した状態を示す縦断面図である。
【００２０】
図３，４に示す木製タイプの椅子２０は、座部２１と背もたれ部２２と脚部２３とを有し、背もたれ部２２に、手荷物等の収納物２５を収納するための収納部２４が形成されている。
【００２１】
収納部２４は、正面側が開口しており、その底面部及び背面部には、収納物２５を支持する支持部２４ａ，２４ｂが形成されている。
【００２２】
収納物２５は、収納部２４の底面部の支持部２４ａに載置支持され、必要に応じて背面部の支持部２４ｂに支持されて、収納部２４内に安定的に収納される。また、収納物２５の収納部２４への出し入れは、実施例１と同様に、正面側の開口から行うことができるので容易である。
【産業上の利用可能性】
【００２３】
本考案は、座部と背もたれ部とを有する各種の椅子に適用可能である。
【図面の簡単な説明】
【００２４】
【図１】本考案の一実施例を示す斜視図である。
【図２】図１の実施例において手荷物を収納した状態を示す縦断面図である。
【図３】本考案の別実施例を示す斜視図である。
【図４】図３の実施例において手荷物を収納した状態を示す縦断面図である。
【符号の説明】
【００２５】
１０、２０  椅子
１１、２１  座部
１２、２２  背もたれ部
１３、１４  脚部
１４、２４  収納部
１４ａ、１４ｂ、２４ａ、２４ｂ  支持部
１５、１６  収納物
【図１】
0003107346.tif 000003
【図２】
0003107346.tif 000004
【図３】
0003107346.tif 000005
【図４】
0003107346.tif 000006
(57)【要約】      （修正有）【課題】従来のゴム手袋裏返し器を、誰にでも使い易いように、さらに工夫する。【解決手段】ゴム手袋裏返し器の、袖口を挟んで巻き込む部分を円筒形にし、さらに取っ手をつける事で、ころがしながら簡単に巻き込むことが出来るようにした。【選択図】図２
0003107312.tif 000002
【実用新案登録請求の範囲】
【請求項１】
実願２００１−００３３７１で考案の、ゴム手袋の裏返し器をさらに使い易く改良したものである。
【考案の詳細な説明】
【考案の詳細な説明】
【技術分野】
【０００１】  本考案は、ゴム手袋の裏返し器に関するものである。
【背景技術】
【０００２】  ゴム手袋を裏返す時、ゴム手袋を手に装着したまま、袖口部分を折り返しながら抜き取ると、指先部分を含む残り四分の一くらいが折り返っていない状態となる。その袖口部分を、実願２００１−００３３７１で考案の器具で挟み、巻き込みながら指先部分に向かって空気を押し込んでゆくと、ゴム手袋全体が裏返った状態となる。
【考案が解決しようとする課題】
【０００３】  実願２００１−００３３７１で考案の器具は、袖口を挟む部分だけのものであったので、巻き込む時の煩わしさや余分な力やこつが必要である事が問題であった。従って、改良した本器具を使用することにより、前述の欠点を解決しようとするものである。
【課題を解決する為の手段】
【０００４】  ゴム手袋の袖口を挟む部分を、円筒に切り込みを入れた形状にして、巻き込み易くするとともに、先端を斜めにカットすることで、ゴム手袋を挟み易くし、さらに、挟む部分に取っ手をつけることにより、巻き込んでゆくときの動作を楽にして、巻き込む時の煩わしさや力を軽減出来るという点で問題点を解決している。
【考案を実施するための最良の形態】
【０００５】  まづ、ゴム手袋を手に装着したままで、折り返しながら手から抜き取ると、指先部分を含む四分の一くらいが折り返っていない状態となる。その中へ復元性のあるボールを入れてふくらませ、袖口部分を器具で挟み、ころがしながら巻き込んでゆくと、空気が指先部分を押し出す形となり、ゴム手袋全体が完全に裏返った状態となる。
【考案の効果】
【０００６】  上述の様に、本考案のゴム手袋裏返し器は、手間も掛からず簡単に使える上、この器具を使う事によりゴム手袋を清潔に保てる事で、炊事やその他の作業の衛生面にも役立つし、兎角使い捨てに考えられがちであったゴム手袋を、長く使用する事によって資源の無駄遣いを無くし、さらに不燃ゴミの量をも減らすことの出来る、環境に貢献できるものであることである。
【図面の簡単な説明】
【図１】本考案のゴム手袋裏返し器の平面図である。
【図２】本考案のゴム手袋裏返し器の側面図である。
【図３】本考案のゴム手袋裏返し器の断面図である。
【符号の説明】
１      復元性のあるボール状のもの
２      ゴム手袋の袖口を挟む部分
３      取っ手部分
ａ〜ｈ  断面図の為の位置を示す記号
【図１】
0003107312.tif 000003
【図２】
0003107312.tif 000004
【図３】
0003107312.tif 000005
【手続補正書】
【提出日】平成16年8月26日(2004.8.26)
【手続補正１】
【補正対象書類名】実用新案登録請求の範囲
【補正対象項目名】全文
【補正方法】変更
【補正の内容】
【実用新案登録請求の範囲】
【請求項１】
円筒形に切り込みを入れて物を挟み易くしたものに握り部分の取っ手をつけたものと、復元性のあるボ−ル状のものを組み合わせたところを特徴とするゴム手袋の裏返し器
(57)【要約】      （修正有）【課題】電子棚札カバーケースにシールやＰＯＰフレームを装着する場合、商品の陳列や取り出し及び繰り返しの使用により汚れやよれが生じる。また、カバー本体に販売促進用カード設置用の取付部を備えたものは、製造にあたって構成部品が多く、部品や組立ての面でコスト高となる。本考案は、部品および組立てコスト削減を実現し、かつ、従来電子棚札と広告表示部を一体化することを目的とする。また本考案は、陳列棚への着脱操作性を高め、使用性に優れたカバーケースの提供を目的とする。【解決手段】表示器３の部分が切り取られたＰＯＰ広告表示が可能なグラフィックシート４を前記表示器と供にカバーケース１，２の間に収納する。上記グラフィックシートを交換することにより、ＴＰＯに合わせてＰＯＰ広告の内容変更が簡単かつ安価に実現する。グラフィックシートが読み取れるように本体筐体には、スケルトン材質を採用する。また、着せ替え可能な陳列棚取付ホルダーを用意することで、着脱操作性の向上を実現する。【選択図】図１
0003107317.tif 000002
【実用新案登録請求の範囲】
【請求項１】
各商品に関する情報や販売促進に関するメッセージが表記されたシートと電子表示器を１つのボディに収容するカバーケースであり、前記シートと電気表示器は供に着脱可能であることを特徴とする電子棚札用カバーケース。
【請求項２】
当該カバーケースは、透明なスケルトン筐体で構成され、かつ、背面に商品陳列棚に着脱するための交換可能な取付ホルダーを備えたことを特徴とする電子棚札用カバーケース。
【考案の詳細な説明】
【技術分野】
【０００１】  本考案は、電子棚札用カバーケース、詳しくは商品陳列棚に取り付け、商品の値段等を表示するために使用される電子棚札のカバーケースに関する。
【背景技術】
【０００２】  電子棚札本体に各商品に関する情報や販売促進に関するメッセージを表示する場合、粘着材を使用したシール等を直接貼り付けるか、表示器にＰＯＰフレームを取り付けている。また、カバー本体に上記情報カード設置のための取付部を備えたものもある。
【考案の開示】
【考案が解決しようとする課題】
【０００３】  表示器にシールやＰＯＰフレームを装着する場合、商品の陳列や取り出し及び繰り返しの使用により汚れやよれが生じる。また、カバー本体に販売促進用カード設置用の取付部を備えたものは、製造にあたって構成部品が多く、部品や組立ての面でコスト高となる。本考案は、部品および組立てコスト削減を実現し、かつ、従来電子棚札と広告表示部を一体化することを目的とする。また本考案は、陳列棚への着脱操作性を高め、使用性に優れたカバーケースの提供を目的とする。
【課題を解決するための手段】
【０００４】  表示器の部分が切り取られたＰＯＰ広告表示が可能なグラフィックシートをカバーケースの間に挟み込む。上記グラフィックシートを交換することにより、ＴＰＯに合わせてＰＯＰ広告の内容変更が簡単かつ安価に実現する。グラフィックシートが読み取れるように本体筐体には、スケルトン材質を採用する。また、着せ替え可能な陳列棚取付ホルダーを用意することで、着脱操作性の向上を実現する。
【考案の効果】
【０００５】  本考案は、電子棚札の設置場所に応じて陳列棚取付ホルダーを選択することができるので、様々な形態の陳列棚に利用でき、透明なスケルトン筐体を通して表示器の値段やグラフィックシート上のＰＯＰ広告が透視されるので清潔感のある近代的な売り場を実現できる。このグラフィックシートは容易に交換できるので、利用者独自の表示形態を楽しむことが可能となる。さらに上記筐体は、表示器とＰＯＰ広告を１つのボディに収納できるので、従来の電子棚札に比べ、製造コストの面で優れている。
【考案を実施するための最良の形態】
【０００６】  本考案を図面により説明すれば、フロントケース１及びリアケース２は透明材にし、接着した際に表示器３とグラフィックシート４を収容、固定できるようにする。グラフィックシート４が容易に交換ができるように、フロントケース１とリアケース１は着脱可能とする。グラフィックシート４は、商品の値段以外の情報、例えば商品名や商品イメージを印字したラベルである。リアケース２の背面には、コイン型電池を装着するための取外し可能なバッテリーケース５を設ける。バッテリーケース５に隣接して、陳列棚取付ホルダーを装着するための突出部６を配置する。陳列棚取付ホルダーを当該突出部６へ差し込むことにより、陳列棚取付ホルダーの交換が容易にできる。
【図面の簡単な説明】
【０００７】
【図１】本考案の電子棚札用カバーケースの分離側面図である。
【図２】本考案の電子棚札用カバーケース本体の正面図である。
【図３】本考案の電子棚札用カバーケースの側面図である。
【図４】本考案の電子棚札用カバーケース本体の背面図である。
【符号の説明】
【０００８】１  フロントケース
２  リアケース
３  表示器
４  グラフィックシート
５  バッテリーケース
６  陳列棚取付ホルダー装着用の突出部
７  バッテリー
【図１】
0003107317.tif 000003
【図２】
0003107317.tif 000004
【図３】
0003107317.tif 000005
【図４】
0003107317.tif 000006
【手続補正書】
【提出日】平成16年8月11日(2004.8.11)
【手続補正１】
【補正対象書類名】実用新案登録請求の範囲
【補正対象項目名】全文
【補正方法】変更
【補正の内容】
【実用新案登録請求の範囲】
【請求項１】
・  各商品に関する情報や販売促進に関するメッセージが表記されたシートと電子表示器を１つのボディに収容するカバーケースであり、前記シートと電気表示器は供に着脱可能であることを特徴とする電子棚札用カバーケース。
【請求項２】
・  請求項１に記載のカバーケースは、透明なスケルトン筐体で構成され、かつ、背面に商品陳列棚に着脱するための交換可能な取付ホルダーを備えたことを特徴とする電子棚札用カバーケース。
(57)【要約】      （修正有）【課題】従来のフラワースタンドは架台が固定のため水平な場所以外では植木鉢やプランター等を展示できない。【解決手段】フレーム１の半円に沿って可動式架台２の角度を変更し急な坂道や階段等でも植木鉢やプランター等を水平に展示する事を可能にした。【選択図】図５
0003107320.tif 000002
【実用新案登録請求の範囲】
【請求項１】
フレームは線材で両サイドの半円及び脚を溶接固定している、可動式架台は外枠及び植木鉢を展示するための円枠及び複数の鉢受け棒を溶接固定している。前記フレームの半円に沿って前記可動式架台の角度を変更し急な坂道や階段等でも植木鉢やプランター等を水平に展示する事が可能な鉢置き台。
【考案の詳細な説明】
【技術分野】
【０００１】本考案は園芸の分野で植木鉢やプランター等を展示する鉢置き台に関する物である。
【背景技術】
【０００２】従来から植木鉢やプランター等を展示する鉢置き台があった。
【考案の開示】
【考案が解決しようとする課題】
【０００３】従来の物は植木鉢やプランター等を展示する時に床が水平な場所やテーブル上等で展示していた。植木鉢やプランター等を急な坂道や階段等に展示する時には可動式架台をフレームの半円に沿って角度を変更し水平に展示する事ができる。
【課題を解決するための手段】
【０００４】従来の物は架台が固定のため植木鉢やプランター等は床が水平な場所のみ展示できた、本考案は可動式架台の角度の変更により急な坂道や階段等でも植木鉢やプランター等を水平に展示する事を可能にした。
【考案の効果】
【０００５】床が水平な場所以外の急な坂道や階段等でも植木鉢やプランター等を水平に展示できる。
【考案を実施するための最良の形態】
【０００６】〔図１〕  正面図
〔図２〕  左側面図
〔図３〕  右側面図
〔図４〕  部品図
〔図１〜４の符号〕【１】フレーム【０００７】
【２】可動式架台
〔図５〕  従来の物の図及び本考案の物の図
【図面の簡単な説明】
【０００８】
【図１】正面図
【図２】左側面図
【図３】右側面図
【図４】部品図
【図５】従来の物の図及び今回考案の物の図
【符号の説明】
【０００９】
【１】フレーム
【２】可動式架台
【図１】
0003107320.tif 000003
【図２】
0003107320.tif 000004
【図３】
0003107320.tif 000005
【図４】
0003107320.tif 000006
【図５】
0003107320.tif 000007
【手続補正書】
【提出日】平成16年8月30日(2004.8.30)
【手続補正１】
【補正対象書類名】実用新案登録請求の範囲
【補正対象項目名】全文
【補正方法】変更
【補正の内容】
【実用新案登録請求の範囲】
【請求項１】
半円形のフレーム及び可動式架台で構成されている、前記フレームの半円に沿って前記可動式架台の角度を変更する事により急な坂道や階段等に於いても植木鉢等を水平に展示する事が可能な鉢置き台。
(57)【要約】      （修正有）【課題】水に手を触れないで、お米が研げ、又本器具を分離することで、卵焼き等のへらとしても使用出来る米研ぎへらを提供する。【解決手段】釜等の中で、本器具を万遍なく上下左右に、手動で動かすことによって、すき間のある底盤、及び空洞のある部材の間で乱流を起こして、米糠等の異物を除去する。【選択図】図１
0003107318.tif 000002
【実用新案登録請求の範囲】
【請求項１】
本器具を釜等の中で上下に動かして、水、米に軽い圧力を与えて、相互の移動を発生させる、底盤のすき間の形。
【請求項２】
本器具を釜等の中で左右に動かして、水、米に乱流を起こしながら、相互の移動を発生させる、空洞のある部材の形。
【請求項３】
本器具を他用途にも使用可能にするため、分離出来ること。
【考案の詳細な説明】
【技術分野】
【０００１】  本考案は、水に手を触れないで、米研ぎ作業が出来る器具に関するものである。【０００２】  本器具を、２つに分離すると、卵焼き等のへらとしても利用出来る。
［背景技術］【０００３】  一般家庭の米研ぎ作業は  素手と思われますがこの作業は、手は荒れるし、冬の水の冷たい季節には特に辛いものです。【０００４】  単身者等台所用品を、少しでも少なくしたい方のため、本器具を分離出来る様にした。
［考案が解決しょうとする課題］【０００５】  米研ぎ作業によって、手が荒れたり、冬の水の冷たい季節の辛い作業から解放出来る。【０００６】  本器具を２つに分離することにより、少し使えにくいが、卵焼き等にも使用出来る。
［課題を解決するための手段］【０００７】  釜等に米と同量位の水を入れ、本器具を手動で上下に動かすことによって、すき間のある底盤が、米、水に軽い圧力と相互の移動を発生させて、米粒に付着している米糠等の、異物を除去する。【０００８】  米の３倍位を注水しながら、本器具の空洞のある部材を、左右に手動で動かすことよって、２つの部材の間を、水と米が乱流を起こしながら移動し、米糠等の異物を除去する。【０００９】  ２つに分離出来るのため、ａ部材が卵焼き等の、へらとしても使用出来る。
なお、ａ部材の先端がｂ部材の底盤のミゾと柄の部分で固定しているだけなので掃除が簡単である。
［考案の効果］【００１０】  水に手を触れないで、効率良く米研ぎ作業が出来る。【００１１】  本器具を分離することで、卵焼き等の返しのへらとしても使用出来る。
［考案を実施するための最良の形態］【００１２】  電気釜等炊飯器に、お米を入れ注水しながら、釜をいためない程度の軽い力で、請求項１、が作用する様に、本器具を上下に万遍なく動かします。【００１３】  次に、釜等の縁に当たらない様注意しながら、請求項２、が作用する様に、本器具を左右に万遍なく動かします。又釜等に当たっても、キズがつきにくい様樹脂材とする。【００１４】  詳しい米研ぎ作業の第１回目は、米と等倍位を注水し、そのままで排水した後に本器具を上下に１０〜１５回、次に米の２倍位を注水しながら、左右に１０回程度動かかし、素早く排水する。【００１５】  ２回目は、注水前に本器具を上下に１０回程度、次に米の３倍位を注水しながら左右に１０回程度動かして、白く濁ったら排水する。【００１６】  ３回目以降も同様に行ない、おおむね４回程度で、少し濁りを残した状態で、完了です。
なお、水量、動かす方法、回数、水かえは、お米の量好みにもよるので、適宜勘案する。
【図面の簡単な説明】
【００１７】［図１］  ａ部材ｂ部材の側面図
［図２］  ａ部材の平面図
［図３］  ｂ部材の平面図
［図４］  ｂ部材の底盤の平面図
［図５］  ａ部材ｂ部材の柄部分の断面図
【符号の説明】
【００１８】１    ａ部材の空洞部分
２    ｂ部材の空洞部分
３    ｂ部材の底盤のミゾ
４    ａ部材の柄
５    ｂ部材の柄
【図１】
0003107318.tif 000003
【図２】
0003107318.tif 000004
【図３】
0003107318.tif 000005
【図４】
0003107318.tif 000006
【図５】
0003107318.tif 000007
【手続補正書】
【提出日】平成16年8月25日(2004.8.25)
【手続補正１】
【補正対象書類名】実用新案登録請求の範囲
【補正対象項目名】全文
【補正方法】変更
【補正の内容】
【実用新案登録請求の範囲】
【請求項１】
当へらを上下に動かして米研ぎ作業をする、先端部に約半分のすき間がもうけられた櫛形の米研ぎへら。
【請求項２】
左右に動かして米研ぎ作業をする、米研ぎへらにおいて第１の板状部材は６列に分割して補強を兼ね３か所を中間で継いだ約半分の空洞部分、及び第２の板状部材は５列に分割し中間で補強を兼ね４か所を継いだ約半分の空洞部分、並びに第１と第２の板状部材を組合せて、流向に対して千鳥のすき間の構造となり、さらに乱流を多く発生させ米研ぎ作業効率を高める様にした米研ぎへら。
【請求項３】
第１の板状部材を卵焼き等他用途にも使用可能とするため、第１と第２の板状部材を切り離せる構造とし、柄の部分で重箱の様に差込む形で固定すると同時に、第１の板状部材先端を第２の板状部材底盤のミゾに差込むことにより、米研ぎ作業時に安定が計れる様にした米研ぎへら。
(57)【要約】      （修正有）【課題】個人の理想とする頭の高さ、首の高さを容易に調整することができ、安眠できる枕を提供することを目的とする。【解決手段】三角形状の枕１と枕２を組み合わせ、矢印方向に枕１をスライド移動することにより、枕１プラス枕２の厚みで一つの枕として、頭の高さ、首の高さを平行に調整し、マジックテープ３により枕１と、枕２を固定させる。【選択図】図１
0003107319.tif 000002
【実用新案登録請求の範囲】
【請求項１】
三角形状の枕１と枕２を組み合わせ、枕１と枕２の厚みで頭の高さ首の高さを平行に調整し、枕１と枕２の間をマジックテープで固定させた枕。
【考案の詳細な説明】
【技術分野】
【０００１】本考案は、個人が理想とする頭の高さ、首の高さを平行かつ容易に調整するための枕
【背景技術】
【０００２】従来から個人が使用する枕の高さにより、快適に安眠できることを周知している。
高さを調整する枕は、構造が複雑であることや、中綿等の中身の調整による枕であり使い勝手が煩わしい。
【考案の開示】
【考案が解決しようとする課題】
【０００３】個人が理想とする頭の高さ、首の高さを平行かつ容易に調整することを解決するために考案されたものである。
【課題を解決するための手段】本考案は、三角形状の枕１と枕２を組み合わせ、枕１プラス枕２の厚みで頭の高さ、首の高さを平行に調整し、枕１と枕２の間をマジックテープで固定させ、一つの枕として使用する。
【考案の効果】三角形状の枕１と枕２を組み合わせのみで、頭の高さ、首の高さを平行かつ容易に調整できる。
【考案を実施するための最良の形態】本考案を添付図面１を参照しながら説明する。
三角形状の枕１と、枕２を組み合わせ、矢印方向に枕１をスライド移動することにより、枕１プラス枕２の厚みで一つの枕として、頭の高さ、首の高さを平行に調整できる。
【図面の簡単な説明】枕１と枕２の組み合わせ及び固定マジックテープ３【図１】枕１、枕２・マジックテープ３を示した断面図である。
【図２】枕１、枕２・マジックテープ３を示した立面図である。
【符号の説明】
１  枕
２  枕
３  マジックテープ
【図１】
0003107319.tif 000003
【図２】
0003107319.tif 000004
【手続補正書】
【提出日】平成16年9月1日(2004.9.1)
【手続補正１】
【補正対象書類名】実用新案登録請求の範囲
【補正対象項目名】全文
【補正方法】変更
【補正の内容】
【実用新案登録請求の範囲】
【請求項１】
三角形状の枕１と枕２を組み合わせ、枕１と枕２の厚みで頭の高さ首の高さを平行に調整し、枕１と枕２の間を面ファスナーで固定させた枕。
【手続補正書】
【提出日】平成16年9月1日(2004.9.1)
【手続補正２】
【補正対象書類名】明細書
【補正対象項目名】全文
【補正方法】変更
【補正の内容】
【考案の詳細な説明】
【技術分野】
【０００１】本考案は、個人が理想とする頭の高さ、首の高さを平行かつ容易に調整するための枕
【背景技術】
【０００２】従来から個人が使用する枕の高さにより、快適に安眠できることを周知している。
高さを調整する枕は、構造が複雑であることや、中綿等の中身の調整による枕であり使い勝手が煩わしい。
【考案の開示】
【考案が解決しようとする課題】
【０００３】個人が理想とする頭の高さ、首の高さを平行かつ容易に調整することを解決するために考案されたものである。
【課題を解決するための手段】本考案は、三角形状の枕１と枕２を組み合わせ、枕１プラス枕２の厚みで頭の高さ、首の高さを平行に調整し、枕１と枕２の間を面ファスナーで固定させ、一つの枕として使用する。
【考案の効果】三角形状の枕１と枕２を組み合わせのみで、頭の高さ、首の高さを平行かつ容易に調整できる。
【考案を実施するための最良の形態】本考案を添付図面１を参照しながら説明する。
三角形状の枕１と、枕２を組み合わせ、矢印方向に枕１スライド移動することにより、枕１プラス枕２の厚みで一つの枕として、頭の高さ、首の高さを平行に調整できる。
【図面の簡単な説明】枕１と枕２の組み合わせ及び面ファスナー３【図１】枕１、枕２、面ファスナー３を示した断面図である。
【図２】枕１、枕２、面ファスナー３を示した立面図である。
【符号の説明】
１  枕
２  枕
３  面ファスナー
(57)【要約】      （修正有）【課題】タオル地製品としての本来の働きに加えて、教材としても有用である各種のタオル地製品を提供すること。【解決手段】片面１ａまたは両面に適宜の教材柄部２を表示してある。横長状のタオル本体１には、表面部１ａにひらがな２の五十音をあいうえお順にプリントすることにより表示してある。そして、ひらがな２の表示を１字おきに白抜き表示することで、全てのひらがな２が目立つように模様化してある。【選択図】図１
0003107316.tif 000002
【実用新案登録請求の範囲】
【請求項１】
片面または両面に適宜の教材柄部を表示してあることを特徴とするタオル地製品。
【考案の詳細な説明】
【技術分野】
【０００１】
本考案は、練習用を含む教材用にも好適な各種タオル地製品、例えば、おしぼり、フェイスタオル、スポーツタオル、バスタオル、バスローブ、タオルケット、タオルシーツ、スカート式バスタオル（プール用）等を含む各種のタオル地製品に関係している。
【背景技術】
【０００２】
例えば、特許文献１に記載されているタオルがある。このタオルの構成は、長さ方向の両側の握り部１，１の外側に連続する外側部分３，３にポケット４を設けることにより、この外側部分３，３と握り部１，１の境界に厚みの差による段差５を形成し、この段差５により握りを安定させるようにし、また、主部及び握り部にそれぞれの機能が、絵もしくは文字またはその双方で表示されている。
すなわち、児童でも握り易くて滑ったりすっぽ抜けたりしにくく、タオルの両端を後ろ手に持って背中を洗う等の洗い動作を楽にできるようにしたものである。
このように、機能が絵もしくは文字またはその双方で表示されているタオルについての提案があり、また、宣伝・広告を表示しているタオルが提供されているが、大半は無地のタオルである。
したがって、例えば入浴中に前記したタオルを使用しても、掛け算の九九や英単語を学ぶことはできない。
【特許文献１】特開２００２−１８６５６９
【考案の開示】
【考案が解決しようとする課題】
【０００３】
解決しようとする課題は、タオル地製品としての本来の働きに加えて、教材としても有用である各種のタオル地製品を提供することにある。
【課題を解決するための手段】
【０００４】
本考案では前記した課題を達成するため、片面または両面に適宜の教材柄部を表示してあることを特徴とする。
このタオル地製品とは、おしぼり、フェイスタオル、スポーツタオル、バスタオル、バスローブ、タオルケット、タオルシーツ、スカート式バスタオル（プール用）等のタオル地からなる各種製品であり、生地はタオル地の公知のものであり、大きさおよび形等は様々で制限がない。
教材柄部は、ひらがな、カタカナ、アルファベット、漢字、熟語、英単語、掛け算の九九、数学の公式、音符、動物、植物、魚、記号、図形、地図、国旗、星座、パソコンのキーボード、ピアノ等の鍵盤、手話、その他の練習あるいは教習用を含む各種の教材が全て対象になり、プリントされる等して表示される。
そして、かかる教材柄部はタオル地製品の片面（表面、裏面、外面、内面のいずれか）または両面（表面および裏面あるいは外面および内面のいずれか）に表示されるが、片面タイプおよび両面タイプともに同じ教材の内容でもよいし、異なる教材の内容の組み合わせであってもよい。
【考案の効果】
【０００５】
Ａ．請求項１により、タオル地製品として有用であると共に、教材としても活用することができる。例えば、製品がタオルあるいはバスタオルである場合、タオルあるいはバスタオルとしての本来の働きに加えて教材としても有用であり、入浴中はもとより非入浴時にも学ぶことができ、あらゆる場所でタオルおよび教材として活用できる。
【考案を実施するための最良の形態】
【０００６】
図１には本考案のタオル地製品における実施の1形態としてタオルを例示しており、横長状のタオル本体１には、表面部１ａにひらがな２の五十音をあいうえお順にプリントすることにより表示してある。
そして、ひらがな２の表示を１字おきに白抜き表示することで、全てのひらがな２が目立つように模様化してある。
【０００７】
図２には本考案のタオル地製品における実施の1形態として他のタオルを例示しており、横長状のタオル本体１には、表面部１ａに掛け算３の九九を各段別に順にプリントすることにより表示してある。
【０００８】
図示していないが、カタカナ、アルファベット、漢字、熟語、英単語、数学の公式、音符、動物、植物、魚、記号、図形、地図、国旗、星座、パソコンのキーボード、ピアノ等の鍵盤、手話、その他の練習あるいは教習用を含む各種の教材柄部をプリントして適宜表示したものとしてもよいことは言うまでもない。
【図面の簡単な説明】
【０００９】
【図１】本考案のタオル地製品における実施の１形態としてタオルを例示している正面図。
【図２】本考案のタオル地製品における実施の１形態として他のタオルを例示している正面図。
【符号の説明】
【００１０】
１  タオル本体
１ａ  表面部（片面）
２  ひらがな（教材柄部）
３  掛け算（教材柄部）
【図１】
0003107316.tif 000003
【図２】
0003107316.tif 000004
【手続補正書】
【提出日】平成16年9月27日(2004.9.27)
【手続補正１】
【補正対象書類名】実用新案登録請求の範囲
【補正対象項目名】請求項１
【補正方法】変更
【補正の内容】
【請求項１】
タオル地製品が、おしぼり、フェイスタオル、スポーツタオル、バスタオル、バスローブ、タオルケット、タオルシーツ、スカート式バスタオルであり、このタオル地製品の生地がタオル地で、この生地の片面または両面に適宜の教材柄部をプリントして表示してあることを特徴とするタオル地製品。
【手続補正２】
【補正対象書類名】明細書
【補正対象項目名】０００４
【補正方法】変更
【補正の内容】
【０００４】
本考案では前記した課題を達成するため、タオル地製品が、おしぼり、フェイスタオル、スポーツタオル、バスタオル、バスローブ、タオルケット、タオルシーツ、スカート式バスタオルであり、このタオル地製品の生地がタオル地で、この生地の片面または両面に適宜の教材柄部をプリントして表示してあることを特徴とする。
このタオル地製品とは、おしぼり、フェイスタオル、スポーツタオル、バスタオル、バスローブ、タオルケット、タオルシーツ、スカート式バスタオル（プール用）等のタオル地からなる各種製品であり、生地はタオル地の公知のものであり、大きさおよび形等は様々で制限がない。
教材柄部は、ひらがな、カタカナ、アルファベット、漢字、熟語、英単語、掛け算の九九、数学の公式、音符、動物、植物、魚、記号、図形、地図、国旗、星座、パソコンのキーボード、ピアノ等の鍵盤、手話、その他の練習あるいは教習用を含む各種の教材が全て対象になり、プリントされる等して表示される。
そして、かかる教材柄部はタオル地製品の片面（表面、裏面、外面、内面のいずれか）または両面（表面および裏面あるいは外面および内面のいずれか）に表示されるが、片面タイプおよび両面タイプともに同じ教材の内容でもよいし、異なる教材の内容の組み合わせであってもよい。
(57)【要約】【課題】  本考案はパソコンを廃棄する際などに、ハードディスクの記録データを消去するためにハードディスクを簡単かつ迅速に破壊する事を可能とする。【解決手段】  パソコンを廃棄する時など、ハードディスクの記録データを消去する必要が生じた際、パソコン本体の上面（または底面）外殻１に貼られているシール２を剥がし、細長い棒状の物３（ボールペンなど）を垂直に差し込み、差し込んだ方向に圧迫し、ハードディスク外殻４の内側に貼られている保護板５を突き落としてハードディスクの内部構造６を破壊することにより記録データの消去を可能とする。【選択図】  図１
0003107315.tif 000002
【実用新案登録請求の範囲】
【請求項１】
パソコン本体上面（または底面）外殻とハードディスクに一直線に並ぶ穴を開けておき、平時は別の部品で塞いでおく。
パソコンを廃棄する時など、ハードディスクのデータを消去する必要が生じた際には、この穴に細長い棒などを貫通させてハードディスクを容易に破壊する機構。
【考案の詳細な説明】
【技術分野】
【０００１】  本考案はパソコンを分解せずにハードディスクを破壊するための機構に関するものである。
【技術背景】
【０００２】  パソコンを廃棄する際など、情報の漏洩を防ぐ意図でハードディスクの記録データを消去するために、データ消去用のソフトウエアによる処理を行うか、パソコンを分解してハードディスクを取り出し、物理的に破壊していた。
【考案の開示】
【０００３】  データ消去用のソフトウエアによる処理や、パソコンを分解してハードディスクを取り出し物理的に破壊する作業は時間的労働的負担である。
従ってパソコンを分解せずにハードディスクを破壊できるようにする事により前述の欠点を解決しようとするものである。
【課題を解決するための手段】
【０００４】  パソコン本体上面（または底面）外殻とハードディスクに一直線に並ぶ穴を開けておき、平時は別の部品で塞いでおく。
パソコンを廃棄する時など、ハードディスクのデータを消去する必要が生じた際には、この穴に細長い棒などを貫通させてハードディスクを容易に破壊することができる。
【考案の効果】
【０００５】  時間的労働的に軽微にハードディスクが破壊できる。
【考案を実施するための最良の形態】
【０００６】  パソコンを生産する際に、内蔵されるハードディスクの直上（または直下）の外殻に直径１センチメートル程の穴を開けておき、これと一直線に並ぶようにハードディスクの外殻にも同じ大きさの穴を開けておく。
パソコン本体の穴は外側からシールで塞いでおき、ハードディスクの穴はハードディスクの内側から薄い金属板などで塞いでおく。
【実施例】
【０００７】  以下、添付図面に従って一実施例を説明する。
パソコンを廃棄する時など、ハードディスクの記録データを消去する必要が生じた際、パソコン本体の上面（または底面）外殻１に貼られているシール２を剥がし、細長い棒状の物３（ボールペンなど）を垂直に差し込み、差し込んだ方向に圧迫し、ハードディスク外殻４の内側に貼られている保護板５を突き落としてハードディスクの内部構造６を破壊する。
【図面の簡単な説明】
【０００８】
【図１】パソコン本体の上面（または底面）の外殻とハードディスクの断面図である。
【符号の説明】
【０００９】１  パソコン本体の上面（または底面）の外殻
２  予め開けてある穴を保護し、またこの機構の存在を示すシール
３  任意の細長い棒状のもの（ボールペンなど）
４  ハードディスク外殻
５  予め開けてある穴を保護するための板
６  ハードディスク内部構造
【図１】
0003107315.tif 000003
【手続補正書】
【提出日】平成16年9月28日(2004.9.28)
【手続補正１】
【補正対象書類名】実用新案登録請求の範囲
【補正対象項目名】全文
【補正方法】変更
【補正の内容】
【実用新案登録請求の範囲】
【請求項１】
パソコン本体上面または底面外殻とハードディスクに一直線に並ぶ穴を開けておいて平時は別の部品で塞いでおき、パソコンを廃棄する時など、ハードディスクのデータを消去する必要が生じた際には、この穴に細長い棒などを貫通させてハードディスクを容易に破壊する機構。
(57)【要約】【課題】  下半身浴などを行うために浴槽内で用いる椅子で、簡易に任意の高さの調節ができるようにする。【解決手段】  座面５の下にネジ部分７を作り、ネジ受け４のある台１にねじ込み、座面を回転させることによって任意の高さに調節可能とした。また、台１、９に脚８とそれを受ける穴２を作ることによって、台を重ねることで上限無く高くできる。【選択図】  図２
0003107390.tif 000002
【実用新案登録請求の範囲】
【請求項１】
座面５の下にネジ構造７を設け、ネジ受け部分４のある台１に取り付けて、座面５を回転させて椅子の高さ調節ができる浴槽内椅子。
【請求項２】
台１、９に脚８と穴２を作り、台１、９どうしを重ねることができる浴槽内椅子。
【考案の詳細な説明】
【技術分野】
【０００１】  本考案は、下半身浴などに用いるために座面下にネジ構造を設け、座面を回転させて任意の高さに調節ができ、さらに椅子を重ねることによって無限に高さ調節が可能な浴槽内椅子に関するものである。
【背景技術】
【０００２】  浴槽内で下半身浴を行う場合に、自分の好みの高さに容易に調節できる椅子が無かった。
【考案の開示】
【考案が解決しようとする課題】
【０００３】  従来の浴槽内椅子で、段階式、脱着式や複数の円筒管伸縮によって高さを調節する椅子は存在していたが、構造や操作が複雑であり、高さの調節が容易にできなかった。特に、浴槽内で自分の望む高さに調節して半身浴などがしにくいという問題点を有していた。また、調節可能な高さにも限界があった。
【課題を解決するための手段】
【０００４】  本考案は、座る台（以下、座面という）の下にネジの部分（雄ネジ型：ネジ山）を作り、ネジ受け（雌ネジ型：ネジ溝）がある台に取り付けて、座面を回転させることによって任意の高さに調節可能とした。また、台に脚とそれを受ける穴を付けることによって、椅子どうしを重ねることで上限無く高くできる。
【考案の効果】
【０００５】  本考案の椅子は、浴槽内においても自分の望んだ高さに高さを容易に調節できる。このため、半身浴などが気軽にできるようになる。また椅子を重ねることができるため、どのような深い浴槽においても利用できる。
【考案を実施するための最良の形態】
【０００６】  座面の下に円筒形のネジの部分（雄ネジ型）を設け、それをねじ込めるように台には座面が安定して回転するように円筒形のネジ受け（雌ネジ型）の部分を作る。座面下のネジの部分は、台から飛び出さないように台の長さと同じかそれよりも短くする。台は空洞として、台の上面に穴を設ける。これによって、浴槽内では水が入り沈みやすくなる。また、座面と座面下のネジ部分は上から下に吹き抜けの穴を設けることで沈みやすくなる。座面と台が取り外せることにより、台は通常の椅子としても利用できる。台に座面を取り付けて座面を回転させることによって任意の高さに調節可能となる。また、台の下に４つの脚とそれを受ける同じ形状でやや大きめの４つの穴を台の上面に付けることによって、椅子どうしを重ねることができ、上限無く高くすることができる。
【実施例】
【０００７】  以下、添付図面に従って一実施例を説明する。１は水に沈む耐久性のプラスチック、木材、鋼材等適宜素材を用いた台で、同様な素材でできた座面５のネジ型部分７を取り付けるネジ受け構造４の空間が設けられている。座面５を台１に取り付けて、座面５を回転させることにより、任意の高さに容易に調節できる。【０００８】  台１、９に脚８とそれを受ける同じ形状でやや大きめの穴２を設けることによって、台１、９が脱着可能となり、同じ台どうしを重ねることによって制限無く高くできる。【０００９】  台上面に水が出入りできる穴３、１０を空けることによって、台の中に水が入り、沈みやすくなる。座面とネジ型部分は上下に通じる吹き抜けの穴６を設けることによって、水の抵抗を減らすことができる。
【産業上の利用可能性】
【００１０】  本考案は、浴槽内において半身浴などを行うために座面を任意の高さに調節できる浴槽用椅子の改良に関する。
【図面の簡単な説明】
【００１１】
【図１】回転式の座面とそれを設置するための台の平面図である。
【図２】回転式の座面と台を組み合わせた椅子の断面図である。
【図３】回転式の座面と台を組み合わせた椅子の底面図である。
【図４】回転式の座面を設置しない台の平面図である。
【図５】回転式の座面を設置しない台の断面図である。
【図６】回転式の座面を設置しない台の底面図である。
【図７】椅子を重ねた側面図である。
【符号の説明】
【００１２】          １  回転式座面の設置用台
２  台の脚をはめ込む穴
３  水の出入り口
４  回転式座面のネジ受け部分（雌ネジ型）
５  座面
６  水の出入り口
７  座面下のネジ部分（雄ネジ型）
８  台の脚
９  回転式座面を設置しない台
１０  水の出入り口
【図１】
0003107390.tif 000003
【図２】
0003107390.tif 000004
【図３】
0003107390.tif 000005
【図４】
0003107390.tif 000006
【図５】
0003107390.tif 000007
【図６】
0003107390.tif 000008
【図７】
0003107390.tif 000009